(57)【要約】【課題】  スライドショー開始前に、スライドショーにおいて再生予定の画像を確認することができる画像表示装置を提供する。【解決手段】  複数の画像データを記憶する記憶部６と、画像データに基づく画像を再生表示する表示部８と、記憶部６から選択された複数の画像データに基づく画像を順次連続的に再生表示する際の手順を示すシナリオ情報に基づいて複数の画像を順次連続的に再生表示するスライドショー表示を表示部８に表示せしめる表示制御部１０と、記憶部６からスライドショー表示予定の画像の画像データを所定の条件に基づいて自動的に選択する選択部とを備え、表示制御部１０は、選択された画像データの縮小画像をスライドショー表示を行う前に表示部８に複数同時に表示する。【選択図】  図１
2010088022.tif 000002
【特許請求の範囲】
【請求項１】
複数の画像データを記憶する記憶部と、
前記画像データに基づく画像を再生表示する表示部と、
前記記憶部から選択された複数の前記画像データに基づく画像を順次連続的に再生表示する際の手順を示すシナリオ情報に基づいて、複数の前記画像を順次連続的に再生表示するスライドショー表示を、前記表示部に表示せしめる表示制御部と、
前記記憶部から、前記スライドショー表示予定の前記画像の前記画像データを、所定の条件に基づいて自動的に選択する選択部と、を備え、
前記表示制御部は、前記選択部で選択された前記画像データの縮小画像を、前記スライドショー表示を行う前に、前記表示部に複数同時に表示せしめることを特徴とする画像表示装置。
【請求項２】
前記表示制御部は、前記シナリオ情報に基づいて、前記スライドショー表示予定の前記画像の再生順序を識別可能に、前記縮小画像を前記表示部に表示せしめることを特徴とする請求項１記載の画像表示装置。
【請求項３】
前記表示部に表示されている前記縮小画像に対して配列の変更操作を行うことにより、前記シナリオ情報として記憶されている前記スライドショー表示予定の前記画像の再生順序を変更することを特徴とする請求項２記載の画像表示装置。
【請求項４】
前記表示部に表示されている任意の前記縮小画像に対して削除の指定操作を行うことにより、前記シナリオ情報として記憶されている前記スライドショー表示予定の前記画像から、指定された画像の除外を行うことを特徴とする請求項１〜３の何れか一項に記載の画像表示装置。
【請求項５】
前記表示制御部は、前記縮小画像を複数同時に表示する際に、前記シナリオ情報に基づいて、前記スライドショー表示予定の前記画像それぞれに対する再生時間及び再生頻度の少なくとも一方を、前記縮小画像と共に表示することを特徴とする請求項１〜４の何れか一項に記載の画像表示装置。
【請求項６】
前記表示制御部は、前記再生時間または前記再生頻度を、前記表示部における前記縮小画像の表示形態または前記縮小画像を囲む領域の表示形態で表示することを特徴とする請求項５記載の画像表示装置。
【請求項７】
前記表示形態は、表示面積であることを特徴とする請求項６記載の画像表示装置。
【請求項８】
前記表示制御部は、前記シナリオ情報に基づいて、前記スライドショー表示予定の前記画像の全体の再生時間を、前記縮小画像の表示と共に表示することを特徴とする請求項１〜７の何れか一項に記載の画像表示装置。
【請求項９】
前記表示部に表示されている任意の前記縮小画像に対して前記再生時間の変更操作を行うことにより、前記シナリオ情報として記憶されている前記スライドショー表示予定の所望の前記画像に対する前記再生時間の変更を行うことを特徴とする請求項５〜８の何れか一項に記載の画像表示装置。
【請求項１０】
前記表示制御部は、前記シナリオ情報に基づいて、前記スライドショー表示予定の前記画像間の切換り時の表示形態を表す画像切換エフェクトを示す表示を、前記縮小画像の表示と共に前記表示部に表示せしめることを特徴とする請求項１〜９の何れか一項に記載の画像表示装置。
【請求項１１】
前記表示制御部は、前記表示部に表示されている連続する前記縮小画像間の位置が指定された場合に、前記シナリオ情報に基づいて、該指定された位置を挟んで配列されている２つの前記縮小画像に対応する前記画像間の切換り時の表示形態を表す画像切換エフェクトの表示を行うことを特徴とする請求項１〜９の何れか一項に記載の画像表示装置。
【請求項１２】
前記画像切換エフェクトの表示は、切換エフェクトの種類を示す画像、または連続する前記縮小画像間の実際の切換エフェクト状態を示す画像の何れかを含むことを特徴とする請求項１０または１１記載の画像表示装置。
【請求項１３】
前記表示部に表示されている前記画像切換エフェクトを示す表示に対して該画像切換エフェクトの種類の変更操作を行うことにより、前記シナリオ情報として記憶されている前記画像切換エフェクトの種類を変更することを特徴とする請求項１０〜１２の何れか一項に記載の画像表示装置。
【請求項１４】
前記表示制御部は、前記スライドショー表示予定の前記画像に対応する前記縮小画像を、前記シナリオ情報に基づいて一画像ずつ連続的に再生表示するプレビュー表示を、前記表示部に表示せしめることを特徴とする請求項１〜１３の何れか一項に記載の画像表示装置。
【請求項１５】
前記表示制御部は、前記表示部に表示されている前記縮小画像に対して指定操作を行うことにより、該指定された前記縮小画像の拡大表示を前記表示部において実行せしめることを特徴とする請求項１〜１４の何れか一項に記載の画像表示装置。
【請求項１６】
前記シナリオ情報が変更された場合には、変更されたシナリオ情報を記憶することを特徴とする請求項１〜１５の何れか一項に記載の画像表示装置。
【請求項１７】
前記選択部は、前記選択部による前記自動選択動作の前に予め前記記憶部から抽出されていた特定画像データを、該自動選択の際に選択することを特徴とする請求項１〜１６の何れか一項に記載の画像表示装置。
【請求項１８】
請求項１〜１７の何れか一項に記載の前記画像表示装置を備えることを特徴とする撮像装置。
【請求項１９】
複数の画像データを記憶する記憶部と、
前記画像データに基づく画像を再生表示する表示部と、
前記記憶部から選択された複数の前記画像データに基づく画像を順次連続的に再生表示する際の手順を示すシナリオ情報に基づいて、複数の前記画像を順次連続的に再生表示するスライドショー表示を、前記表示部に表示せしめる表示制御部と、を備えた画像表示装置に適用される画像表示プログラムであって、
前記記憶部から、前記スライドショー表示予定の前記画像の前記画像データを、所定の条件に基づいて自動的に選択せしめるステップと、
前記選択された前記画像データの縮小画像を、前記スライドショー表示を行う前に、前記表示部に複数同時に表示せしめるように前記表示制御部を動作させるステップと、
を有することを特徴とする画像表示プログラム。
【請求項２０】
前記シナリオ情報に基づいて、前記スライドショー表示予定の前記画像の再生順序を識別可能に、前記縮小画像を前記表示部に表示せしめるように前記表示制御部を動作させるステップを有することを特徴とする請求項１９記載の画像表示プログラム。
【請求項２１】
前記縮小画像を複数同時に表示する際に、前記シナリオ情報に基づいて、前記スライドショー表示予定の前記画像それぞれに対する再生時間及び再生頻度の少なくとも一方を、前記縮小画像と共に前記表示部に表示せしめるように前記表示制御部を動作させるステップを有することを特徴とする請求項１９または２０記載の画像表示プログラム。
【請求項２２】
前記再生時間または前記再生頻度を、前記表示部における前記縮小画像の表示形態または前記縮小画像を囲む領域の表示形態で前記表示部に表示せしめるように前記表示制御部を動作させるステップを有することを特徴とする請求項２０記載の画像表示プログラム。
【請求項２３】
前記表示部に表示されている任意の前記縮小画像に対して前記再生時間の変更操作を行うことにより、前記シナリオ情報として記憶されている前記スライドショー表示予定の所望の前記画像に対する前記再生時間の変更を行うステップを有することを特徴とする請求項２１または２２記載の画像表示プログラム。
【発明の詳細な説明】
【技術分野】
【０００１】
本発明は、画像の再生表示を行う画像表示装置、撮像装置及び画像表示プログラムに関するものである。
【背景技術】
【０００２】
近年、スライドショーの開始時に、撮影済みの画像の中から最近撮影された画像を自動選択し再生表示するか、予め選択指定されている画像を再生表示するかを特定し、スライドショーを開始する画像表示装置が提案されている（例えば、特許文献１参照）。
【特許文献１】特開２００６−５４７３８号公報
【発明の開示】
【発明が解決しようとする課題】
【０００３】
ところで、上述の画像表示装置では、スライドショー開始前に、自動選択された画像、再生順序、再生枚数、再生時間等を事前に確認することができなかった。
【０００４】
本発明の目的は、スライドショー開始前に、スライドショーにおいて再生予定の画像を確認することができる画像表示装置、撮像装置及び画像表示プログラムを提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の画像表示装置は、複数の画像データを記憶する記憶部（６）と、前記画像データに基づく画像を再生表示する表示部（８）と、前記記憶部（６）から選択された複数の前記画像データに基づく画像を順次連続的に再生表示する際の手順を示すシナリオ情報に基づいて、複数の前記画像を順次連続的に再生表示するスライドショー表示を、前記表示部（８）に表示せしめる表示制御部（１０）と、前記記憶部（６）から、前記スライドショー表示予定の前記画像の前記画像データを、所定の条件に基づいて自動的に選択する選択部（１０）とを備え、前記表示制御部（１０）は、前記選択部（１０）で選択された前記画像データの縮小画像を、前記スライドショー表示を行う前に、前記表示部（８）に複数同時に表示せしめることを特徴とする。
【０００７】
また、本発明の撮像装置は、本発明の画像表示装置（２）を備えることを特徴とする。
【０００８】
また、本発明の画像表示プログラムは、複数の画像データを記憶する記憶部（６）と、前記画像データに基づく画像を再生表示する表示部（８）と、前記記憶部（６）から選択された複数の前記画像データに基づく画像を順次連続的に再生表示する際の手順を示すシナリオ情報に基づいて、複数の前記画像を順次連続的に再生表示するスライドショー表示を、前記表示部（８）に表示せしめる表示制御部（１０）と、を備えた画像表示装置に適用される画像表示プログラムであって、前記記憶部（６）から、前記スライドショー表示予定の前記画像の前記画像データを、所定の条件に基づいて自動的に選択せしめるステップと、前記選択された前記画像データの縮小画像を、前記スライドショー表示を行う前に、前記表示部（８）に複数同時に表示せしめるように前記表示制御部（１０）を動作させるステップとを有することを特徴とする。
【発明の効果】
【０００９】
本発明の画像表示装置、撮像装置及び画像表示プログラムによれば、スライドショー開始前に、表示部に再生予定の画像に対応する縮小画像を複数同時に表示することができるため、再生予定の画像を事前に確認することができる。
【発明を実施するための最良の形態】
【００１０】
以下、図面を参照して、本発明の実施の形態に係る画像表示装置について説明する。図１は、この実施の形態に係る画像表示装置２のシステム構成を示すブロック図である。画像表示装置とは、例えばパソコン（ＰＣ）、デジタルカメラ等の撮像装置、携帯電話、プロジェクタ装置、デジタルフォトフレーム、ゲーム機等、画像再生機能を有する装置のことである。なお、この実施の形態においては、画像表示装置２がＰＣであるものとして説明を行うが、本発明はこれに限られるものでなく、スライドショーを行えるもの（例えばカメラ本体や、デジタルフォトフレーム等）であれば適用可能である。図１に示すように、画像表示装置２は、操作部４、画像データ記憶部６、表示部８、制御部１０、シナリオ情報記憶部１２を備えて構成されている。
【００１１】
操作部４は、画像表示装置２の電源をオン／オフする電源スイッチ、画像再生に関する機能設定や表示設定を行うためのマウスやキーボード等の入力装置を含んで構成されている。画像データ記憶部６には、例えばデジタルカメラやカメラ機能付き携帯電話等で撮影された複数の画像の画像データがＥｘｉｆ（Ｅｘｃｈａｎｇａｂｌｅ  ｉｍａｇｅ  ｆｉｌｅ  ｆｏｒｍａｔ）等の所定の形式で記憶されている。これら画像データには、タグデータとして画像に関する情報が付加されている。画像に関する情報には、例えば撮影日時、撮影場所、単独撮影されたものであるか連続撮影されたものであるか否か、後述する再生頻度、画像データに基づく縮小画像（サムネイル画像）、画像データに基づく確認用画像としてのビュー画像等が含まれている。また、画像データ記憶部６には、後述する画像切換エフェクトの種類を示すデモ画像が記憶されている。
【００１２】
表示部８には、画像データ記憶部６に記憶されている画像データに基づく画像等が再生表示される。例えば、複数の縮小画像の同時表示、複数の画像を順次所定数の画像ずつ（例えば一画像ずつ）連続的に再生表示するスライドショー表示を行う。
【００１３】
制御部１０は、図示しないメモリ等から画像表示プログラムを読み込んで実行し、画像表示装置２の各部を統括的に制御する。この実施の形態においては、装置が自動的にスライドショー用の画像を選んでスライドショー表示を実行する自動スライドショーモードを備えている。この自動スライドショーモードがユーザーによって実行指示されると、制御部１０は、スライドショー表示を実行する前に、画像データ記憶部６に記憶されている画像データの中から、所定の条件に基づいてスライドショー表示予定の画像データを自動的に選択（抽出）する。そして、それら選択された画像データに基づく画像を順次（例えば一画像ずつ）連続的に表示部８に表示せしめる。ここで、所定の条件に基づく選択としては、例えば、同じような画像ばかり沢山選ばないようにするために、画像全体に対する画像の特徴量（輝度値や色差等の積算値や周波数成分など）の差分の少ない画像や、画像の主要領域に対する前記特徴量の差分の少ない画像等が複数存在する場合にはそれらから所定数（例えば一画像）のみを選択するようにする。また編集履歴のある画像について編集前の画像を選択せずに編集後の画像のみを選択する等が挙げられる。また連写された画像がある場合には、それらから１枚あるいは数枚（例えば９枚連写であれば１枚目と５枚目（真ん中）と９枚目の３枚）を選択する等が挙げられる。また、露出ブラケッティング撮影や、ホワイトバランスブラケッティング撮影などで連続的に複数枚連写された画像がある場合には、それらから、カメラが適正露出値（適正ＷＢ値）で撮影された画像を選択する等が挙げられる。
【００１４】
シナリオ情報記憶部１２には、制御部１０において所定の条件に基づいて選択されたスライドショー表示予定の画像データに基づく画像を例えば一画像ずつ順次連続的に再生表示する際の手順を示すシナリオ情報が記憶されている。シナリオ情報には、画像の再生順序、一画像の再生時間、スライドショー表示予定の画像の全体の再生時間、画像間の切換り時の表示形態を表す画像切換エフェクト等が含まれる。また、シナリオ情報には、これら再生順序、再生時間、全体の再生時間、画像切換エフェクト等の変更指示がユーザーによりなされた場合、その変更内容も含まれる。
【００１５】
次に、図２に示すフローチャートを用いて、実施の形態に係る画像表示装置２においてスライドショーが行われる際の動作について説明する。ここで、画像データ記憶部６に記憶されている画像のうち、制御部１０においてスライドショー表示予定の画像（候補画像）の画像データを自動的に選択する際の元となる（選択対象となる）画像データは、予め選択リスト内に含まれており、選択対象としない画像データは、自動選択前に予め非選択リスト内に含まれている。初期設定の状態においては、画像データ記憶部６に記憶されている全画像データが選択リスト内に含まれている。
【００１６】
まず、制御部１０は、選択リスト内の全画像データに基づく全縮小画像を読み込む。そして、図３に示すように、読み込んだ縮小画像１３を表示部８に一覧表示する（ステップＳ１０）。なお、一覧表示には、読み込まれた全縮小画像が表示部８の画面に一度にすべて表示されるものに限られず、表示部８の画面に全縮小画像を含む画面（表示部８の画面より大きい）を順次スクロールで表示する表示形態のものも含まれる。スクロールは、マウス等のポインティングデバイスで、表示部８の画面右側のスクロールバー１６のノブ１６ａをドラッグまたはアロー１６ｂ，１６ｃをクリックすることにより行う。なお、スクロールバーの操作や後述するチェックボックスのチェック操作や各種操作ボタン（例えば、除外ボタン３０等）の操作など、表示画面上に表示されている操作部材については、表示画面をタッチパネルで形成しておき、タッチパネル操作できるように構成しておいても良い。
【００１７】
図３に戻って、この図３に示すように、各縮小画像１３の下部中央に、各縮小画像１３に対応してチェックボックス１４が設けられている。ユーザー操作により少なくとも１つのチェックボックス１４内にチェックマークが入れられ、表示部８の画面内の下部左側にある除外ボタン３０がマウス操作等でクリックされた場合、制御部１０は、チェックマークが入れられたチェックボックス１４に対応する縮小画像１３を表示部８の画面から削除し、かつチェックされた縮小画像１３に対応する画像データを選択リストから非選択リストに移動する。これにより、その除外された画像データは、自動選択の際に選択されることがなくなる。
【００１８】
また、ユーザー操作により少なくとも１つのチェックボックス１４内にチェックマークが入れられ、表示部８の画面内の下部左側にある必須ボタン３１がマウス操作等でクリックされた場合、制御部１０は、チェックマークが入れられたチェックボックス１４に対応する縮小画像１３を太枠で囲む、マークを表示する等、他の縮小画像に対して識別可能な状態とし、かつチェックされた縮小画像１３に対応する画像データを選択リスト内の必須リストに特定画像データとして記憶させる（ステップＳ１１）。この必須リストとは、選択リスト内の画像データであって、制御部１０においてスライドショー表示予定の画像の画像データを自動的に選択する際に、所定の条件に拘らず、必ず選択されるべき特定画像データが記憶されたリストである。
【００１９】
次に、ユーザーのマウス操作等により表示部８の画面内の下部左側にある選択ボタン３２がクリックされると、制御部１０は、画像データ記憶部６に記憶されている選択リスト内の画像データの中から所定の条件に基づいてスライドショー表示予定の画像の画像データを自動的に選択する（ステップＳ１２）。所定の条件については、予め設定され、図示しないメモリ等に記憶されている。または、選択ボタン３２がクリック操作された後に、ユーザーが設定することもできる。なお、ステップＳ１２において自動選択される前に予め抽出された特定画像データが存在する場合には、所定の条件に拘らず（所定の条件に合致していない場合においても）、特定画像データは必ず選択される。
【００２０】
次に、制御部１０は、選択された画像データに基づく画像を用いてスライドショー表示を行う際の手順を示すシナリオ情報、即ち画像の再生順序、再生時間、画像切換エフェクト等を作成し、作成したシナリオ情報をシナリオ情報記憶部１２に記憶させる（ステップＳ１３）。シナリオ情報は、選択された画像にかかわらず予め決められているものであっても、選択された画像によって自動的に作成するようになっていてもよい。なおシナリオ情報として、予め決められた所定シナリオ情報を適用するか、或いは選択画像に応じて自動作成される自動作成シナリオ情報を適用するかは、ユーザーが予め表示部８に表示されるメニュー設定画面上で設定できるようになっている。ユーザーが、予め決められた所定シナリオ情報の方を選択した場合には、装置内メモリに初期設定されている所定のシナリオ情報が読み出されてシナリオ情報記憶部１２に記憶される。一方、自動作成シナリオ情報の方を選択した場合には、後述する手法で自動作成されたシナリオ情報が、シナリオ情報記憶部１２に記憶される。
【００２１】
上述の所定シナリオ情報（予め定められたシナリオ情報）においては、再生順序は撮影日時の順番に設定される。そして再生時間は、選択された何れの画像でも、それぞれ初期設定されている再生時間（例えば２秒）に設定される。そして画像切換エフェクトは、選択された何れの画像間でも、それぞれ予め初期設定されている切換エフェクト（例えば後述するオーバーラップ）に設定される。一方、選択画像に応じて自動作成される自動作成シナリオ情報においては、再生順序、再生時間、画像切換エフェクトがそれぞれ、たとえば以下のように設定される。
【００２２】
まず再生順序は、再生頻度（再生表示された回数）の多い画像から順に表示されるように、選択画像の再生の順番が自動設定される。再生頻度の同じ画像が複数あった場合には、それらのうちで各再生タイミングに再生された時間の積算時間である総再生時間の長い画像が先に再生されるように再生の順番を自動設定する。
【００２３】
再生時間は、各画像を画像解析した結果や、各画像に付随して設けられているタグ情報（Ｅｘｉｆタグ情報など）から得られた画像情報（撮影モードなど）に基づいて設定する。たとえば撮影モードが人物撮影に適したモード（ポートレートモードや子供スナップモードやスポーツモードなど）の画像は、風景（遠景）モードの画像よりも再生時間を長く設定する。また周知の顔認識技術を用いて各選択画像を解析した結果に基づいて、人物の顔の写っている画像は、そうでない画像よりも再生時間を長く設定する。また人物の顔が数多く写っている画像は、人物の顔の数の少ない画像よりも再生時間を長く設定する。また一枚の画像内での変化が多い画像（色合いの多い画像、輝度変化の多い画像、高周波成分の多い画像）は、そうでない画像（一枚の画像内での変化の少ない画像）よりも再生時間を長く設定する。
【００２４】
画像切換エフェクトも各画像を画像解析した結果や、各画像に付随して設けられているタグ情報（Ｅｘｉｆタグ情報など）から得られた画像情報（撮影モードなど）に基づいて設定する。たとえばスポーツモードで撮影された連写画像から複数枚選択した場合には、その選択画像の中の主要被写体を、画像解析（周知の顔認識技術や、主要被写体（背景）抽出技術）や、または画像の構図（中央に写っている被写体）や、あるいは合焦している被写体の抽出結果などから識別し、そしてその主要被写体の動いている方向に画像が変化するような画像切換エフェクトを選択する（例えば左から右に選手が走っている連写画像が選択されている場合には、後述する左右スライドを設定する）。また選択画像間の撮影モードが同じ画像間の切換エフェクトとしては、撮影シーンの種別として似た画像である可能性が高いので、前後画像の繋がりを意識させる「オーバーラップ（後述）」を使用し、撮影モードが異なっている画像間の切換エフェクトとしては、オーバーラップ以外（例えば後述する上下スライドやワイプなど、撮影シーンの切り換わりを明確に意識させる切換エフェクト）を設定するようにする。
【００２５】
次に、制御部１０は、スライドショー表示を行う前に、ステップＳ１２において選択された画像データに基づく縮小画像を読み込み、表示部８においてそれら縮小画像をシナリオ情報（再生順序や再生時間など）と共に複数同時に表示する（ステップＳ１４）。図４は、ステップＳ１４において表示部８の画面上にスライドショー表示予定の画像（候補画像）の縮小画像が複数同時に表示された状態を示す図である。図４に示すように、スライドショー表示予定の全画像の中の数枚の画像の縮小画像１５ａ〜１５ｆが表示部８の画面上に表示されている。他の画像の縮小画像については、スクロールバー１６のノブ１６ａをドラッグまたはアロー１６ｂ，１６ｃをクリック操作することにより、表示部８の画面上に表示させることができる。なお、図４においては、６枚（縦２×横３枚）の縮小画像１５ａ〜１５ｆが表示部８の画面上に表示されているが、操作部４を介して、表示部８の画面上に表示される縮小画像の枚数（縦×横の枚数）を変更することができる。また、縮小画像１５ｂ及び１５ｆについては、対応する画像が複数の類似画像（例えば、差分が少ない画像）の中から選択された一画像であることを示すため、縁が太く表示されている。
【００２６】
また、縮小画像１５ａ〜１５ｆは、スライドショー表示予定の画像の再生順序を識別可能に表示されている。即ち、各縮小画像１５ａ〜１５ｆの上部に表示されている４桁の数字（０００１〜０００６）は、スライドショー表示における再生順序を示している。上部に０００１と表示されている縮小画像１５ａに対応する画像（以下、画像Ａという）は１番目に再生表示される。同様に、０００２の縮小画像１５ｂ、０００３の縮小画像１５ｃ、０００４の縮小画像１５ｄ、０００５の縮小画像１５ｅ、０００６の縮小画像１５ｆの順に、各縮小画像１５ｂ〜１５ｆに対応する画像（以下、画像Ｂ〜Ｆという）が再生表示される。この再生順序は、ステップＳ１３において作成されたシナリオ情報に含まれている。
【００２７】
スライドショー表示予定の画像の再生順序は、ユーザーが表示部８に表示されている縮小画像１５ａ〜１５ｆに対してその配列の変更操作を行うことにより変更することができる。例えば、画像Ｃの再生順序を３番目から５番目に変更する場合、図５に示すように、縮小画像１５ｃをクリック操作して選択し、図中矢印方向にドラッグすることにより５番目に再生予定の画像Ｅの縮小画像１５ｅが表示されている位置（あるいは、縮小画像１５ｅと１５ｆとの間の位置）まで移動させる。その結果、図６に示すように、表示部８の画面上における縮小画像１５ｃ，１５ｄ，１５ｅの表示位置が変更され、画像Ｃ〜Ｅの再生順序が変更される。即ち、画像Ｄが４番目から３番目、画像Ｅが５番目から４番目、画像Ｃが３番目から５番目に変更される。このように、シナリオ情報として記憶されているスライドショー表示予定の画像の再生順序が変更された場合（ステップＳ１５，Ｙｅｓ）、制御部１０は、シナリオ情報内の再生順序を変更し、且つその変更後の内容をシナリオ情報記憶部１２に記憶させる（ステップＳ１６）。
【００２８】
また、例えばスライドショー表示予定の画像として自動選択されたが、ユーザーがスライドショー表示を望まない画像が含まれている場合等、ユーザーが表示部８に表示されている縮小画像１５ａ〜１５ｆに対して除外の指定操作を行うことにより、任意の画像の除外を行うことができる。具体的には、図７に示すように、各縮小画像１５ａ〜１５ｆの下部左側のチェックボックス１７ａ〜１７ｆのうち、スライドショー表示から除外したい画像の縮小画像（図７では、画像Ｄの縮小画像１５ｄ）の下部左側のチェックボックス１７ｄをクリック操作することによりチェックマークを入れて、表示部８の画面下部左側の除外ボタン１８をクリック操作することにより縮小画像１５ｄを表示部８の画面から削除する。縮小画像１５ｄの除外操作を行うことにより、縮小画像１５ｄの画像Ｄは、スライドショー表示予定の画像の一覧から除外される。そして、制御部１０は、シナリオ情報内のスライドショー表示予定の画像の一覧を変更し、且つその変更後の内容をシナリオ情報記憶部１２に記憶させる（ステップＳ１６）。
【００２９】
なお、制御部１０は、他のスライドショー表示において、ユーザーにより所定回数以上の除外指定の操作が行われた画像については、スライドショー表示予定の画像として適していないと判断し、その画像に対応する画像データを選択リストから非選択リストへ自動的に移動する。なお、所定回数は、予め設定されており、ユーザーによって変更可能に構成されている。また、チェックボックス１７ａ〜１７ｆを用いる代わりに、除外する縮小画像自体をクリック操作し、選択する構成にすることもできる。また、除外ボタン１８をクリック操作したとき、確認メッセージを表示し、除外を中止することができるようにしておくことが望ましい。
【００３０】
また、図４に示すように、各縮小画像１５ａ〜１５ｆの下部右側に表示されている時間表記（０：０２及び０：０５）は、スライドショーにおける各画像Ａ〜Ｆの再生時間を示している。即ち、下部右側に０：０２と表示されている縮小画像１５ａの画像Ａは２秒間再生表示される。同様に、０：０５と表示されている縮小画像１５ｂ、１５ｆの画像Ｂ，Ｆは５秒間、０：０２と表示されている縮小画像１５ｃ〜１５ｅの画像Ｃ〜Ｅは２秒間再生表示される。この画像の再生時間は、ステップＳ１３において作成されたシナリオ情報に含まれている。
【００３１】
画像の再生時間は、ユーザーが表示部８に表示されている任意の縮小画像に対して再生時間の変更操作を行うことにより変更することができる。例えば、画像Ａに対する再生時間を２秒間から５秒間に変更する場合、図８に示すように、縮小画像１５ａの下部右側に表示されている時間表示０：０２をクリック操作し、ポップアップメニュー１９を表示させる。ポップアップメニュー１９の上欄１９ａに表記されている項目（図８では、２秒）は、現在設定されている再生時間を示し、下欄１９ｂに表記されている複数の項目（図８では、１，２，５，１０秒）は、設定可能な再生時間を示している。そこで、下欄１９ｂに表記されている項目「５秒」をクリック操作することにより、上欄１９ａの表記が「５秒」に変更され、縮小画像１５ａの画像Ａに対する再生時間が２秒間から５秒間に変更される。そして、制御部１０は、シナリオ情報内の画像Ａに対する再生時間を変更し、且つその変更後の内容をシナリオ情報記憶部１２に記憶させる（ステップＳ１６）。なお、ポップアップメニュー１９を用いる代わりに、時間表示されている部分を入力欄にし、ユーザーにより直接再生時間を入力させる構成にすることもできる。この場合には、再生時間を自由に設定することができる。
【００３２】
また、図４に示すように、表示部８の画面上部に表示されている時間表示（ＴＯＴＡＬ  ３：００）は、スライドショー表示予定の画像の全体の再生時間、即ちスライドショー表示予定の各画像の再生時間の合計時間を示している。上述のように画像の再生時間が変更されたとき、制御部１０は、全体の再生時間の再算出を行い、表示部８に表示される全体の再生時間を変更前のものから再算出されたものに変更する。
【００３３】
また、各縮小画像１５ａ〜１５ｆの右側に表示されているマーク２０ａ〜２０ｆをクリック操作することにより、スライドショー表示予定の画像間の切換り時の表示形態を表す画像切換エフェクトを示す表示が表示部８の画面上に表示される。即ち、表示部８に表示されている連続する縮小画像１５ａ，１５ｂ間に位置するマーク２０ａをクリック操作することにより、マーク２０ａを挟んで配列されている縮小画像１５ａ，１５ｂに対応する画像Ａ，Ｂ間の切換り時の画像切換エフェクトを確認することができる。同様に、マーク２０ｂ，２０ｃ，２０ｄ，２０ｅ，２０ｆのそれぞれをクリック操作することにより画像Ｂ，Ｃ間、画像Ｃ，Ｄ間、画像Ｄ，Ｅ間、画像Ｅ，Ｆ間、画像Ｆと図示しない次の画像との間それぞれの切換り時の画像切換エフェクトを確認することができる。画像切換エフェクトとは、スライドショーにおいて表示部８に表示されている画像から次の画像に表示が切り換わる際の切換り方法（切換り効果）のことである。例えば、現在表示されている画像上に、次の画像が表示部８の画面中央部から所定形状（矩形状や円形状）に画面周辺部に広がることにより画像が切り換わるもの、表示部８の画面上部や下部（左部や右部）から画面下部や上部（右部や左部）に広がることにより画像が切り換わるもの、縞模様や格子模様を描いて切り換わるもの、斜め方向から切り換わるもの等様々な切換り方法が含まれる。
【００３４】
この実施の形態においては、画像切換エフェクトの種類として、現在表示されている画像上に次の画像が重畳表示されつつ次の画像表示に切り換わるオーバーラップ、現在表示されている画像を次の画像が下から上に押し上げる上下スライド、現在表示されている画像を次の画像が左から右に押し進む左右スライド、現在表示されている画像上に次の画像が画面左下から斜め方向に広がるワイプが選択可能に構成されているものとする。また、画像切換エフェクトは、ステップＳ１３において作成されたシナリオ情報に含まれている。
【００３５】
図９は、マーク２０ａをクリック操作したときの表示部８の画面の状態を示す図である。図９に示すように、マーク２０ａをクリック操作することによりポップアップメニュー２１が表示される。ポップアップメニュー２１の上欄２１ａには、画像Ａから画像Ｂに切り換わる時の画像切換エフェクトのデモ画像及び種類（図９では、上下スライド）が表記されている。オーバーラップ、上下スライド、左右スライド、ワイプのデモ画像は、画像データ記憶部６に予め記憶されており、画像切換り時の表示形態をユーザーが容易に理解できるように動画で表したものである。また、下欄２１ｂには、選択可能な画像切換エフェクトのデモ画像及び種類（図９では、オーバーラップ、上下スライド、左右スライド、ワイプ）が表記されている。この画像切換エフェクトの種類は、ユーザーがポップアップメニュー２１の下欄２１ｂに表記されている任意の画像切換エフェクトのデモ画像または種類に対してクリック操作する変更操作を行うことで変更することができる。そして、制御部１０は、任意の画像間の画像切換エフェクトの種類が変更された場合、シナリオ情報内の任意の画像間の画像切換エフェクトの種類を変更し、且つその変更後の内容をシナリオ情報記憶部１２に記憶させる（ステップＳ１６）。
【００３６】
なお、ポップアップメニュー２１に表示されるデモ画像は、動画に限らず、画像切換り時の表示形態をユーザーが容易に理解できるような静止画を用いることもできる。また、デモ画像でなく、自動選択された実際のスライドショー表示用の画像の縮小画像を使って作られた、縮小画像間の実際の画像切換エフェクト状態を示す画像、例えば縮小画像１５ａ，１５ｂが上下スライドで切換わる状態を示す画像（動画または静止画）を用いることもできる。また、デモ画像や実際の縮小画像を用いることなく、画像切換エフェクトの種類（オーバーラップ、上下スライド、左右スライド、ワイプ）を示す文字情報やマークのみを表示するようにしても良い。
【００３７】
また、この画像表示装置２は、表示部８に表示されている縮小画像１５ａ〜１５ｆに対して指定操作を行うことにより、指定された縮小画像の拡大表示を表示部８において行うことができる。例えば、縮小画像１５ｂの拡大表示を行う場合、縮小画像１５ｂ下部左側のチェックボックス１７ｂに対してクリック操作することによりチェックマークを入れて、または、縮小画像１５ｂ自体をクリック操作することにより縮小画像１５ｂを選択して、表示部８の画面下部左側の拡大ボタン２２をクリック操作する。拡大ボタン２２をクリック操作することにより、図１０に示すように、縮小画像１５ｂの拡大画像であるビュー画像２３ｂが表示部８の画面上に表示される。ビュー画像２３ｂは、画像Ｂ（本画像）の画像データのデータサイズより小さいデータサイズで且つサムネイル画像（縮小画像）よりも大きいでデータサイズを有し、画像Ｂの画像データと共にタグデータとして記憶されている。なお、図１０に示す画面において、表示部８の画面下部左側の縮小ボタン２４をクリック操作すると、縮小画像１５ａ〜１５ｆの一覧表示に戻ることができる。また、図１０に示す画面において、除外ボタン１８に対してクリック操作すると、表示部８の画面からビュー画像２３ｂは削除され、画像Ｂはスライドショー表示予定の画像の一覧から除外され、画像Ｂに対応する画像データは選択リストから非選択リストに移動される。
【００３８】
また、この画像表示装置２は、スライドショー表示予定の画像の縮小画像（サムネイル画像）を用いて、スライドショーのプレビュー表示を行うことができる。即ち、ステップＳ１３において作成されたシナリオ情報または変更されたシナリオ情報に基づいて、スライドショー表示予定の画像に対応する縮小画像を一画像ずつ連続的に再生表示する。具体的には、表示部８の画面下部左側のプレビューボタン２５をクリック操作することによりプレビュー表示をスタートさせる。図１１は、プレビューボタン２５をクリック操作したときの表示部８の状態を示す図である。図１１に示すように、プレビューがスタートし、１番目に再生予定の画像Ａの縮小画像１５ａが表示部８の画面中央部に表示される。縮小画像１５ａは、画像Ａの再生時間である２秒間表示され、その後、画像Ａから画像Ｂへの画像切換エフェクトである上下スライドにより、２番目に再生予定の画像Ｂの縮小画像１５ｂが表示される。このように、シナリオ情報に従って順次縮小画像が表示される。なお、プレビュー表示を途中で中止する場合には、図１１に示す表示部８の画面下部左側の停止ボタン２６をクリック操作する。また、プレビュー表示中においても、除外ボタン１８及び拡大ボタン２２を有効にしておくこともできる。また、プレビュー表示においてスライドショー表示の雰囲気を急ぎで確認したい場合等には、図１１に示されたクイック再生ボタン２８をクリック操作することにより、各縮小画像の再生時間を、シナリオ情報にある再生時間の半分にする等、短縮させることもできる。
【００３９】
上述のように、スライドショー表示を行う前に、スライドショー表示予定の画像に対応する縮小画像を表示させて、再生順序、再生時間、画像切換エフェクト等のシナリオ情報が変更された場合には（ステップＳ１５，Ｙｅｓ）、変更されたシナリオ情報をシナリオ情報記憶部１２に記憶させて（ステップＳ１６）、制御部１０は、縮小画像１５ａ〜１５ｆの表示を終了したか否かの判別を行う（ステップＳ１７）。具体的には、ユーザーにより表示部８の画面下中央部のスタートボタン２７がクリック操作されたか否かの判別を行う。スタートボタン２７がクリック操作された場合（ステップＳ１７，Ｙｅｓ）、制御部１０は、縮小画像１５ａ〜１５ｆの表示を停止し、シナリオ情報記憶部１２に記憶されているシナリオ情報に基づいてスライドショー表示を実行する（ステップＳ１８）。このとき、上述したようにシナリオ情報が変更されている場合には、その変更が反映されたシナリオ情報に基づいてスライドショー表示が実行されることになる。
【００４０】
また、実際にスライドショー表示が実行されたシナリオ情報は、自動で、またはユーザーにより名前を付けてシナリオ情報記憶部１２に記憶される。そして、実際に実行されたスライドショー表示と同一のスライドショー表示を行う場合には、シナリオ情報記憶部１２に記憶されている所望のスライドショー表示に係るシナリオ情報を読み出し、読み出したシナリオ情報に基づいてスライドショー表示を実行する。
【００４１】
この実施の形態に係る画像表示装置２によれば、スライドショー表示を行う前に、表示部８にスライドショー表示予定の画像に対応する縮小画像をシナリオ情報に基づいて複数同時に表示し、スライドショー表示予定の画像を事前に確認することができる。また、シナリオ情報として記憶されているスライドショー表示における画像の再生順序、再生時間、画像切換エフェクト等も事前に確認することができ、かつ所定の変更操作を行うことによりこれら再生順序、再生時間、画像切換エフェクト等を事前に変更することができる。したがって、ユーザーにとって好ましくない画像や見せることを避けたい画像等がスライドショー表示予定の画像として自動選択されていた場合等には事前に削除し、お気に入りの画像の再生時間を長く設定するなど、自由にシナリオ情報を変更することができる。
【００４２】
なお、この実施の形態においては、スライドショー表示予定の各画像の再生時間を対応する各縮小画像１５ａ〜１５ｆの下部右側に表示しているが、図１２に示すように、各縮小画像１５ａ〜１５ｆを囲む枠３０ａ〜３０ｆを設け、枠３０ａ〜３０ｆ内の領域の面積の大きさ（枠３０ａ〜３０ｆの横の長さ）により再生時間の長さを視覚的に（見た目で）表現することもできる。即ち、画像Ｂ，Ｆの再生時間は５秒間、画像Ａ，Ｃ〜Ｅの再生時間は２秒間であるため、枠３０ｂ，３０ｆの横の長さを枠３０ａ，３０ｃ〜３０ｅの横の長さより長くする。また、図１３に示すように、再生時間が５秒間である画像Ｂ，Ｆの縮小画像１５ｂ，１５ｆの表示面積（横の長さ）を、再生時間が２秒間である画像Ａ，Ｃ〜Ｅの表示面積（横の長さ）より大きく（長く）する。このように、枠３０ａ〜３０ｆまたは縮小画像１５ａ〜１５ｆの表示面積を再生時間に応じて変化させることにより、画像Ａ〜Ｆの再生時間を視覚的に表現することができる。
【００４３】
また、この実施の形態においては、各縮小画像１５ａ〜１５ｆの下部右側に各画像Ａ〜Ｆに対する再生時間を表示しているが、図１４に示すように、各縮小画像１５ａ〜１５ｆの下部右側に各画像Ａ〜Ｆに対する再生頻度を（再生時間に代えて）表示することもできる。再生頻度とは、この画像表示装置２においてスライドショー表示を行う際に所定の条件に基づいて自動的に選択され、除外されることなくスライドショー表示された回数のことである。即ち、縮小画像１５ａ，１５ｄ，１５ｅに対応する画像Ａ，Ｄ，Ｅは１回スライドショー表示され、同様に、縮小画像１５ｃ，１５ｆに対応する画像Ｃ，Ｆは２回、縮小画像１５ｂに対応する画像Ｂは３回スライドショー表示されたことを示している。なお、再生時間及び再生頻度の双方を各縮小画像１５ａ〜１５ｆと共に表示するように構成してもよい。
【００４４】
また、この実施の形態に係る画像表示装置２においては、自動選択された画像データに基づく縮小画像を表示部８において表示しているが、自動選択の際に選択されなかった画像データに基づく縮小画像も、自動選択された画像データと識別可能に、表示部８において表示することもできる。そして、選択されなかった任意の画像をスライドショー表示予定の画像に追加する変更操作がユーザーによりなされた場合、シナリオ情報内のスライドショー表示予定の画像に選択されなかった任意の画像を追加する。
【００４５】
また、この実施の形態に係る画像表示装置２においては、非選択リスト内の任意の画像データを選択リストに移動させるために、非選択リスト内の画像データに基づく縮小画像を複数同時に表示部８において表示することができる。この場合には、非選択リスト内の任意の画像データを選択リストに移動する変更操作がユーザーによりなされた場合、その任意の画像データを非選択リストから選択リストへ移動し、その変更内容を画像データ記憶部６に記憶させる。
【００４６】
また、上述の実施の形態においては、制御部１０が図示しないメモリ等から画像表示装置２に画像のスライドショー表示処理を実施させる画像表示プログラムを読み込んで実行している。即ち、上述の実施の形態で用いられている画像表示プログラムは、画像表示装置２に、スライドショー表示予定の画像の画像データを所定の条件に基づいて自動的に選択せしめるステップ、スライドショー表示を行う前に、選択された画像データの縮小画像を表示部８に複数同時に表示せしめるように制御部１０を動作させるステップを実行せしめている。したがって、上述の実施の形態に係る画像表示プログラムによれば、スライドショー表示を行う前に、スライドショー表示予定の画像、シナリオ情報として記憶されているスライドショー表示における画像の再生順序、再生時間、画像切換エフェクト等を事前に確認することができる。
【図面の簡単な説明】
【００４７】
【図１】実施の形態に係る画像表示装置のシステム構成を示すブロック図である。
【図２】実施の形態に係る画像表示装置においてスライドショーが行われる際の動作について説明するためのフローチャートである。
【図３】実施の形態に係る表示部の画面の状態を示す図である。
【図４】実施の形態に係る表示部の画面の状態を示す図である。
【図５】実施の形態に係る表示部の画面の状態を示す図である。
【図６】実施の形態に係る表示部の画面の状態を示す図である。
【図７】実施の形態に係る表示部の画面の状態を示す図である。
【図８】実施の形態に係る表示部の画面の状態を示す図である。
【図９】実施の形態に係る表示部の画面の状態を示す図である。
【図１０】実施の形態に係る表示部の画面の状態を示す図である。
【図１１】実施の形態に係る表示部の画面の状態を示す図である。
【図１２】実施の形態に係る表示部の画面の状態を示す図である。
【図１３】実施の形態に係る表示部の画面の状態を示す図である。
【図１４】実施の形態に係る表示部の画面の状態を示す図である。
【符号の説明】
【００４８】
２…画像表示装置、４…操作部、６…画像データ記憶部、８…表示部、１０…制御部、１２…シナリオ情報記憶部、１５ａ〜１５ｆ…縮小画像。
【図１】
2010088022.tif 000003
【図２】
2010088022.tif 000004
【図３】
2010088022.tif 000005
【図４】
2010088022.tif 000006
【図５】
2010088022.tif 000007
【図６】
2010088022.tif 000008
【図７】
2010088022.tif 000009
【図８】
2010088022.tif 000010
【図９】
2010088022.tif 000011
【図１０】
2010088022.tif 000012
【図１１】
2010088022.tif 000013
【図１２】
2010088022.tif 000014
【図１３】
2010088022.tif 000015
【図１４】
2010088022.tif 000016